(57)【要約】【課題】部分発光動作を行う光源を用いて複数の映像を時分割表示する際に、表示画質を向上させることが可能な液晶表示装置、およびそのような液晶表示装置を用いた映像表示システムを提供する。【解決手段】部分駆動化処理部４２は、入力映像信号Ｄin（映像信号Ｄ１）に基づいて左右の映像間での最大輝度レベルを画素２０ごとに求めることにより、左右の映像に共通の映像である共通化映像（映像信号Ｄ２）を生成する。また、この共通化映像を用いて、発光パターン信号ＢＬ１および部分駆動用映像信号Ｄ４をそれぞれ生成する。表示輝度の低下が生じることなく（表示輝度が維持されつつ）、左右の映像間での表示輝度の時間的変動が回避されてフリッカーの発生が抑えられる。【選択図】図１１
2011186224.tif 000002
【特許請求の範囲】
【請求項１】
互いに独立して制御可能であるように構成された複数の部分発光部を有する光源部と、
前記光源部から前記部分発光部単位で射出された光を入力映像信号に基づいて変調し、互いに異なる複数の映像を時分割的に順次切り換えて表示する液晶表示パネルと、
前記入力映像信号に基づいて、前記光源部における前記部分発光部単位での発光パターンを示す発光パターン信号と、部分駆動用映像信号とをそれぞれ生成する部分駆動化処理部を有し、前記発光パターン信号を用いて前記光源部の各部分発光部に対する発光駆動を行うと共に、前記部分駆動用映像信号を用いて前記液晶表示パネルに対する表示駆動を行う表示制御部と
を備え、
前記部分駆動化処理部は、
前記入力映像信号に基づいて、前記複数の映像間での最大輝度レベルを単位領域ごとに求めることにより、前記複数の映像に共通の映像である共通化映像を生成すると共に、
この共通化映像を用いて、前記発光パターン信号および前記部分駆動用映像信号をそれぞれ生成する
液晶表示装置。
【請求項２】
前記部分駆動化処理部は、
前記入力映像信号に基づいて前記共通化映像を生成する共通化映像生成部と、
前記共通化映像に対して所定の低解像度化処理を行う低解像度化処理部と
を有し、
前記低解像度化処理が行われた後の共通化映像を用いて、前記発光パターン信号および前記部分駆動用映像信号をそれぞれ生成する
請求項１に記載の液晶表示装置。
【請求項３】
前記複数の映像は、互いに視差を有する左眼用映像および右眼用映像である
請求項１または請求項２に記載の液晶表示装置。
【請求項４】
複数の映像を時分割的に順次切り換えて表示する液晶表示装置と、
前記液晶表示装置における切り換え表示に同期した開閉動作を行うシャッター眼鏡と
を備え、
前記液晶表示装置は、
互いに独立して制御可能であるように構成された複数の部分発光部を有する光源部と、
前記光源部から前記部分発光部単位で射出された光を入力映像信号に基づいて変調し、互いに異なる複数の映像を時分割的に順次切り換えて表示する液晶表示パネルと、
前記入力映像信号に基づいて、前記光源部における前記部分発光部単位での発光パターンを示す発光パターン信号と、部分駆動用映像信号とをそれぞれ生成する部分駆動化処理部を有し、前記発光パターン信号を用いて前記光源部の各部分発光部に対する発光駆動を行うと共に、前記部分駆動用映像信号を用いて前記液晶表示パネルに対する表示駆動を行う表示制御部と
を備え、
前記部分駆動化処理部は、
前記入力映像信号に基づいて、前記複数の映像間での最大輝度レベルを単位領域ごとに求めることにより、前記複数の映像に共通の映像である共通化映像を生成すると共に、
この共通化映像を用いて、前記発光パターン信号および前記部分駆動用映像信号をそれぞれ生成する
映像表示システム。
【請求項５】
前記複数の映像は、互いに視差を有する左眼用映像および右眼用映像である
請求項４に記載の映像表示システム。
【発明の詳細な説明】
【技術分野】
【０００１】
本発明は、複数の部分発光部を有する光源部を備えた液晶表示装置、ならびにそのような液晶表示装置およびシャッター眼鏡を用いた映像表示システムに関する。
【背景技術】
【０００２】
近年、薄型テレビ、携帯端末装置のディスプレイとして、画素毎にＴＦＴ（Thin Film Transistor；薄膜トランジスタ）を設けたアクティブマトリクス型の液晶表示装置（ＬＣＤ；Liquid Crystal Display）が多く用いられている。このような液晶表示装置では、一般に、画面上部から下部に向かって、各画素の補助容量素子および液晶素子に映像信号が線順次に書き込まれることにより各画素が駆動される。
【０００３】
ところで、液晶表示装置では、その用途に応じて、１フレーム期間を多分割し、分割した時間ごとに異なる映像を表示させる駆動（以下、時分割駆動という）が行われている。このような時分割駆動方式（フレームシーケンシャル方式）を用いた液晶表示装置としては、例えば、シャッター眼鏡を用いた立体映像表示システム（例えば、特許文献１参照）が挙げられる。
【０００４】
シャッター眼鏡を用いた立体映像表示システムでは、１フレーム期間を２分割し、左眼用および右眼用の映像として互いに視差を有する２枚の映像を交互に切り替えて表示させる。また、この表示切り替えに同期して開閉動作がなされるシャッター眼鏡が用いられる。シャッター眼鏡は、左眼用映像の表示期間は左眼側が開（右眼側を閉）、右眼用映像の表示期間は右眼側が開（左眼側を閉）となるように制御される。観察者がこのようなシャッター眼鏡をかけて左右の表示映像を分離して観察することにより、立体視を実現している。
【０００５】
一方で、液晶表示装置に用いられるバックライトとしては、光源に冷陰極管（ＣＣＦＬ；Cold Cathode Fluorescent Lamp）を用いたものが主流であるが、近年では発光ダイオード（ＬＥＤ；Light Emitting Diode）を用いたものも登場してきている。
【０００６】
このようなＬＥＤ等をバックライトとして用いた液晶表示装置では、従来より、光源部を複数の部分発光部に分割して構成し、この部分発光部単位で独立して発光動作を行う（部分発光動作を行う）ようにしたものが提案されている（例えば、特許文献２参照）。
【先行技術文献】
【特許文献】
【０００７】
【特許文献１】特開２０００−４４５１号公報
【特許文献２】特開２００１−１４２４０９号公報
【発明の概要】
【発明が解決しようとする課題】
【０００８】
ところが、上記した時分割駆動方式の立体映像表示システムにおいて、従来のバックライトにおける部分発光動作をそのまま適用した場合、交互に表示される左眼用および右眼用の映像が互いに視差を有していることに起因して、以下の問題が生じると考えられる。
【０００９】
すなわち、左右の映像間で映像内の物体位置にずれが生じることから、そのままでは、バックライトでの発光パターンにも左眼用の映像表示時と右眼用の映像表示時とでずれが生じる。具体的には、左右の映像表示時の間で発光強度が異なることになる部分発光部が存在することになり、極端な場合、一方の映像表示時には点灯するのに対して他方の映像表示時には消灯する、ということもあり得る。
【００１０】
このようにして、左右の映像間で発光輝度の変動（時間的な変動）が生じると、視差がなく一定の発光輝度であるべき領域にも大きな影響を与え、液晶表示パネルにおける透過率制御では対応しきれないことになる。その結果、時分割駆動方式の立体映像表示システムにおいて、従来のバックライトにおける部分発光動作をそのまま適用した場合、フリッカーの発生が増大し、表示画質低下を招くことになる。
【００１１】
また、このような左右の映像間での発光輝度の時間変動を抑えるため、例えば時間軸方向のフィルタを設けることも考えられるが、その場合、以下の問題が生じる。すなわち、フィルタを用いて発光輝度の平準化を図ると、左右の映像表示時の双方においてそれらの中間の発光輝度レベルに設定されるため、元々のレベルと比べて発光輝度が低下し、表示輝度の確保が困難になってしまう。
【００１２】
なお、これまで説明したような問題は、立体映像表示システムには限られず、複数の映像を時分割表示させる表示システム一般に生じ得るものである。以上のことから、部分発光動作を行う光源を用いて複数の映像を時分割表示する際に、表示画質を向上させるための手法の提案が望まれる。
【００１３】
本発明はかかる問題点に鑑みてなされたもので、その目的は、部分発光動作を行う光源を用いて複数の映像を時分割表示する際に、表示画質を向上させることが可能な液晶表示装置、およびそのような液晶表示装置を用いた映像表示システムを提供することにある。
【課題を解決するための手段】
【００１４】
本発明の液晶表示装置は、互いに独立して制御可能であるように構成された複数の部分発光部を有する光源部と、この光源部から部分発光部単位で射出された光を入力映像信号に基づいて変調し、互いに異なる複数の映像を時分割的に順次切り換えて表示する液晶表示パネルと、上記入力映像信号に基づいて、光源部における部分発光部単位での発光パターンを示す発光パターン信号と、部分駆動用映像信号とをそれぞれ生成する部分駆動化処理部を有し、発光パターン信号を用いて光源部の各部分発光部に対する発光駆動を行うと共に、部分駆動用映像信号を用いて液晶表示パネルに対する表示駆動を行う表示制御部とを備えたものである。上記部分駆動化処理部は、入力映像信号に基づいて、複数の映像間での最大輝度レベルを単位領域ごとに求めることにより、複数の映像に共通の映像である共通化映像を生成すると共に、この共通化映像を用いて、発光パターン信号および部分駆動用映像信号をそれぞれ生成する。
【００１５】
本発明の映像表示システムは、複数の映像を時分割的に順次切り換えて表示する上記本発明の液晶表示装置と、この液晶表示装置における切り換え表示に同期した開閉動作を行うシャッター眼鏡とを備えたものである。
【００１６】
本発明の液晶表示装置および映像表示システムでは、入力映像信号に基づいて、光源部における部分発光部単位での発光パターンを示す発光パターン信号と、部分駆動用映像信号とがそれぞれ生成される。そして、発光パターン信号を用いて光源部の各部分発光部に対する発光駆動が行われると共に、部分駆動用映像信号を用いて液晶表示パネルに対する表示駆動が行われる。この際、上記入力映像信号に基づいて複数の映像に共通の映像である共通化映像が生成され、この共通化映像を用いて上記発光パターン信号および部分駆動用映像信号がそれぞれ生成される。これにより、互いに異なる複数の映像について個別に生成された発光パターン信号を用いて発光駆動および表示駆動を行う場合とは異なり、複数の映像間での発光輝度（表示輝度）の変動（時間的な変動）が回避され、フリッカーの発生が抑えられる。また、複数の映像間での最大輝度レベルを単位領域ごとに求めることによって上記共通化映像が生成されるため、例えば時間軸方向に沿って発光パターン信号および部分駆動用映像信号を平準化するためのフィルタを用いた場合とは異なり、表示輝度の低下が生じることもない。
【発明の効果】
【００１７】
本発明の液晶表示装置および映像表示システムによれば、入力映像信号に基づいて複数の映像間での最大輝度レベルを単位領域ごとに求めることによって、複数の映像に共通の映像である共通化映像を生成すると共に、この共通化映像を用いて発光パターン信号および部分駆動用映像信号をそれぞれ生成するようにしたので、表示輝度の低下を生じさせることなく（表示輝度を維持しつつ）、フリッカー発生を抑えることができる。よって、部分発光動作を行う光源を用いて複数の映像を時分割表示する際に、表示画質を向上させることが可能となる。
【図面の簡単な説明】
【００１８】
【図１】本発明の一実施の形態に係る映像表示システムの全体構成を表すブロック図である。
【図２】図１に示した画素の詳細構成例を表す回路図である。
【図３】図１に示した液晶表示装置における部分発光領域および部分照射領域の一例を模式的に表す分解斜視図である。
【図４】図１に示した部分駆動化処理部の詳細構成を表すブロック図である。
【図５】図１に示した液晶表示装置におけるバックライトの部分発光動作の概要を表す模式図である。
【図６】図１に示した映像表示システムにおける立体映像表示動作の概要を表す模式図である。
【図７】比較例に係る液晶表示装置における部分駆動化処理部の構成を表すブロック図である。
【図８】入力される左眼用映像信号および右眼用映像信号の一例を表す模式図である。
【図９】比較例に係る液晶表示装置における部分発光動作の一例を表すタイミング図である。
【図１０】図４に示した共通化映像生成部の動作の一例を表す模式図である。
【図１１】実施の形態に係る液晶表示装置における部分発光動作の一例を表すタイミング図である。
【図１２】本発明の変形例１に係る部分駆動化処理部の構成を表すブロック図である。
【図１３】本発明の変形例２に係る映像表示システムにおけるマルチ映像表示動作の概要を表す模式図である。
【発明を実施するための形態】
【００１９】
以下、本発明の実施の形態について、図面を参照して詳細に説明する。なお、説明は以下の順序で行う。
１．実施の形態（立体映像表示システムに適用した例１）
２．変形例
変形例１（立体映像表示システムに適用した例２）
変形例２（マルチ映像表示システムに適用した例）
【００２０】
＜実施の形態＞
［映像表示システムの全体構成］
図１は、本発明の一実施の形態に係る映像表示システム全体のブロック構成を表すものである。この映像表示システムは時分割駆動方式の立体映像表示システムであり、映像表示装置としての液晶表示装置１と、シャッター眼鏡６とを備えている。
【００２１】
（液晶表示装置１）
液晶表示装置１は、左右の視差を有する右眼用映像信号ＤＲおよび左眼用映像信号ＤＬからなる入力映像信号Ｄinに基づいて、映像表示を行うものである。この液晶表示装置１は、液晶表示パネル２、バックライト３（光源部）、映像信号処理部４１、部分駆動化処理部４２、タイミング制御部４３、シャッター制御部４４、バックライト駆動部５０、データドライバ５１およびゲートドライバ５２を有している。なお、これらのうち、映像信号処理部４１、部分駆動化処理部４２、タイミング制御部４３、シャッター制御部４４、バックライト駆動部５０、データドライバ５１およびゲートドライバ５２が、本発明における「表示制御部」の一具体例に対応している。
【００２２】
液晶表示パネル２は、後述するバックライト３から射出された光を入力映像信号Ｄinに基づいて変調することにより、この入力映像信号Ｄinに基づく映像表示を行うものである。具体的には、詳細は後述するが、右眼用映像信号ＤＲに基づく右眼用映像と、左眼用映像信号ＤＬに基づく左眼用映像とを、時分割で交互に表示している。すなわち、この液晶表示パネル２では、後述する映像信号処理部４１において制御された出力順序に従って映像表示を行うことにより、立体映像表示のための時分割駆動がなされるようになっている。この液晶表示パネル２は、全体としてマトリクス状に配列された複数の画素２０を含んでいる。
【００２３】
図２は、各画素２０内の画素回路の回路構成例を表したものである。画素２０は、液晶素子２２、ＴＦＴ素子２１および補助容量素子２３を有している。この画素２０には、駆動対象の画素を線順次で選択するためのゲート線Ｇと、駆動対象の画素に対して映像電圧（後述するデータドライバ５１から供給される映像電圧）を供給するためのデータ線Ｄと、補助容量線Ｃｓとが接続されている。
【００２４】
液晶素子２２は、データ線ＤからＴＦＴ素子２１を介して一端に供給される映像電圧に応じて、表示動作を行うものである。この液晶素子２２は、例えばＶＡ（Vertical Alignment）モードやＴＮ（Twisted Nematic）モードの液晶よりなる液晶層（図示せず）を、一対の電極（図示せず）で挟み込んだものである。液晶素子２２における一対の電極のうちの一方（一端）は、ＴＦＴ素子２１のドレインおよび補助容量素子２３の一端に接続され、他方（他端）は接地されている。補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。ＴＦＴ素子２１は、液晶素子２２および補助容量素子２３の一端同士に対し、映像信号Ｄ１に基づく映像電圧を供給するためのスイッチング素子であり、ＭＯＳ−ＦＥＴ（Metal Oxide Semiconductor−Field Effect Transistor）により構成されている。このＴＦＴ素子２１のゲートはゲート線Ｇ、ソースはデータ線Ｄにそれぞれ接続されると共に、ドレインは液晶素子２２および補助容量素子２３の一端同士に接続されている。
【００２５】
バックライト３は、液晶表示パネル２に対して光を照射する光源部であり、例えば発光素子として、ＣＣＦＬやＬＥＤなどを用いて構成されている。バックライト３は、後述するように、入力映像信号Ｄinの内容（映像パターン）に応じた発光駆動がなされるようになっている。
【００２６】
このバックライト３はまた、例えば図３に示したように、互いに独立して制御可能であるように構成された複数の部分発光領域３６（部分発光部）を有している。すなわち、このバックライト３は、部分駆動方式のバックライトにより構成されている。具体的には、バックライト３は、複数の光源が２次元的に配列されることにより複数の部分発光領域３６を有している。これにより、バックライト３は、面内方向に発光領域が縦ｎ×横ｍ＝Ｋ個（ｎ，ｍ＝２以上の整数）に分割されている。なお、この分割数は、上記した液晶表示パネル２における画素２０よりも低解像度のものとなっている。また、図３に示したように、液晶表示パネル２には、各部分発光領域３６に対応する複数の部分照射領域２６が形成されるようになっている。
【００２７】
バックライト３は、入力映像信号Ｄinの内容（映像パターン）に応じて、部分発光領域３６ごとに独立した発光制御が可能とされている。また、バックライト３における光源は、ここでは、赤色光を発する赤色ＬＥＤ３Ｒと、緑色光を発する緑色ＬＥＤ３Ｇと、青色光を発する青色ＬＥＤ３Ｂとの各色のＬＥＤを組み合わせて構成されている。ただし、光源として用いられるＬＥＤの種類としてはこれには限られず、例えば白色光を発する白色ＬＥＤを用いるようにしてもよい。なお、各部分発光領域３６には、このような光源が少なくとも１つずつ配置されている。
【００２８】
映像信号処理部４１は、入力映像信号Ｄinに基づいて、右眼用映像信号ＤＲおよび左眼用映像信号ＤＬの出力順序（書き込み順序，表示順序）の制御を行うことにより、映像信号Ｄ１を生成するものである。ここでは、１フレーム期間内において左眼用映像信号Ｄ１Ｌと右眼用映像信号Ｄ１Ｒとが交互に配列してなる映像信号Ｄ１を生成するようになっている。ここで、以下、１フレーム期間のうち、左眼用映像の表示期間を「Ｌサブフレーム期間」、右眼用映像の表示期間を「Ｒサブフレーム期間」と称する。なお、この映像信号処理部４１において、例えば高画質化のための所定の画像処理（例えば、シャープネス処理やガンマ補処理など）を行うようにしてもよい。
【００２９】
シャッター制御部４４は、映像信号処理部４１による右眼用映像信号Ｄ１Ｒおよび左眼用映像信号Ｄ１Ｌの出力タイミングに対応するタイミング制御信号（制御信号ＣＴＬ）を生成し、シャッター眼鏡６に出力するものである。なお、この制御信号ＣＴＬは、ここでは例えば赤外線信号等の無線信号であるものとして示しているが、有線信号であってもよい。
【００３０】
部分駆動化処理部４２は、映像信号処理部４１から供給される映像信号Ｄ１（Ｄ１Ｌ，Ｄ１Ｒ）に対して所定の部分駆動化処理を行うものである。これにより、バックライト３における部分発光領域３６単位での発光パターンを示す発光パターン信号ＢＬ１と、１フレーム期間内において左眼用映像信号Ｄ４Ｌと右眼用映像信号Ｄ４Ｒとが交互に配列してなる部分駆動用映像信号Ｄ４とをそれぞれ生成するようになっている。具体的には、本実施の形態では、部分駆動化処理部４２は、左眼用映像および右眼用映像に共通の映像である共通化映像（後述）を生成し、この共通化映像を用いて発光パターン信号ＢＬ１および部分駆動用映像信号Ｄ４をそれぞれ生成している。なお、この部分駆動化処理部４２の詳細構成については後述する（図４）。
【００３１】
タイミング制御部４３は、バックライト駆動部５０、ゲートドライバ５２およびデータドライバ５１の駆動タイミングを制御すると共に、部分駆動化処理部４２から供給される部分駆動用映像信号Ｄ４をデータドライバ５１へ供給するものである。
【００３２】
ゲートドライバ５２は、タイミング制御部４３によるタイミング制御に従って、液晶表示パネル２内の各画素２０を、前述したゲート線Ｇに沿って線順次駆動するものである。これにより、部分駆動用映像信号Ｄ４に基づく表示駆動が液晶表示パネル２に対してなされるようになっている。
【００３３】
データドライバ５１は、液晶表示パネル２の各画素２０へそれぞれ、タイミング制御部４３から供給される、部分駆動用映像信号Ｄ４に基づく映像電圧を供給するものである。具体的には、部分駆動用映像信号Ｄ４に対してＤ／Ａ（デジタル／アナログ）変換を施すことにより、アナログ信号である映像信号（上記映像電圧）を生成し、各画素２０へ出力するようになっている。
【００３４】
バックライト駆動部５０は、タイミング制御部４３によるタイミング制御に従って、部分駆動化処理部４２から出力される発光パターン信号ＢＬ１に基づく、バックライト３内の各部分発光領域３６に対する発光駆動（点灯駆動）を行うものである。
【００３５】
（シャッター眼鏡６）
シャッター眼鏡６は、液晶表示装置１の観察者が用いることにより立体視を可能とするものであり、左眼用レンズ６Ｌおよび右眼用レンズ６Ｒを有している。これらの左眼用レンズ６Ｌおよび右眼用レンズ６Ｒにはそれぞれ、例えば、図示しない液晶素子を用いた液晶シャッター（遮光シャッター）が設けられている。これらの遮光シャッターにおける入射光の遮光機能の有効状態（開状態，透過状態）および無効状態（閉状態，遮断状態）は、シャッター制御部４４から供給される制御信号ＣＴＬによって、時分割制御されるようになっている。
【００３６】
具体的には、シャッター制御部４４は、液晶表示装置１における左眼用映像および右眼用映像の切り換え表示に同期して、左眼用レンズ６Ｌおよび右眼用レンズ６Ｒの開状態および閉状態が交互に切り替わるように、シャッター眼鏡６を制御している。言い換えると、前述したＬサブフレーム期間には、左眼用レンズ６Ｌを開状態、右眼用レンズ６Ｒを閉状態とする制御を行う一方、Ｒサブフレーム期間には、右眼用レンズ６Ｒを開状態、左眼用レンズ６Ｌを閉状態とする制御を行う。これにより、１フレーム期間を２分割して右眼用映像と左眼用映像とを交互に切り替えて表示する時分割駆動方式において、観察者は、右眼用映像を右眼、左眼用映像を左眼でそれぞれ観察することが可能となる。
【００３７】
［部分駆動化処理部４２の詳細構成］
次に、図４を参照して、部分駆動化処理部４２の詳細構成について説明する。図４は、部分駆動化処理部４２のブロック構成を表したものである。この部分駆動化処理部４２は、共通化映像生成部４２１、低解像度化処理部４２２、ＢＬレベル算出部４２３、拡散部４２４およびＬＣＤレベル算出部４２５を有している。
【００３８】
共通化映像生成部４２１は、１フレーム期間内において左眼用映像信号Ｄ１Ｌと右眼用映像信号Ｄ１Ｒとが交互に配列してなる映像信号Ｄ１に基づいて、左眼用映像および右眼用映像に共通の映像である共通化映像を生成するものである。具体的には、左眼用映像信号Ｄ１Ｌおよび右眼用映像信号Ｄ１Ｒの間での最大輝度レベルを単位領域ごと（ここでは画素２０ごと）に求めることにより、そのような共通化映像を構成する映像信号Ｄ２を生成するようになっている。このようにして生成された映像信号Ｄ２は、互いに同一の映像信号である左眼用映像信号Ｄ２Ｌと右眼用映像信号Ｄ２Ｒとが１フレーム期間内で交互に配列してなる。なお、この共通化映像生成部４２１の詳細動作については後述する。
【００３９】
低解像度化処理部４２２は、共通化映像生成部４２１から供給される映像信号Ｄ２（Ｄ２Ｌ，Ｄ２Ｒ）に対してそれぞれ所定の低解像度化処理を行うことにより、前述した発光パターン信号ＢＬ１の基となる映像信号Ｄ３を生成するものである。具体的には、画素２０単位の輝度レベル信号により構成される映像信号Ｄ２を、画素２０と比べて低解像度である部分発光領域３６単位での輝度レベル信号に再構成することにより、映像信号Ｄ３を生成する。
【００４０】
ＢＬレベル算出部４２３は、部分発光領域３６単位での輝度レベル信号である映像信号Ｄ３に基づいて、部分発光領域３６ごとの発光輝度レベルを算出することにより、部分発光領域３６単位での発光パターンを示す発光パターン信号ＢＬ１を生成するものである。具体的には、部分発光領域３６ごとに映像信号Ｄ３の輝度レベルを解析することにより、各領域の輝度レベルに応じた発光パターンを得ることが可能となっている。
【００４１】
拡散部４２４は、ＢＬレベル算出部４２３から出力される発光パターン信号ＢＬ１に対して所定の拡散処理を行い、拡散処理後の発光パターン信号ＢＬ２をＬＣＤレベル算出部４２５へ出力するものであり、部分発光領域３６単位の信号から画素２０単位の信号への変換を行っている。この拡散処理は、バックライト３内の実際の光源（ここでは各色のＬＥＤ）における輝度分布（光源からの光の拡散分布）を考慮してなされる処理である。
【００４２】
ＬＣＤレベル算出部４２５は、映像信号Ｄ１（Ｄ１Ｌ，Ｄ１Ｒ）と拡散処理後の発光パターン信号ＢＬ２とに基づいて、１フレーム期間内において左眼用映像信号Ｄ４Ｌと右眼用映像信号Ｄ４Ｒとが交互に配列してなる部分駆動用映像信号Ｄ４を生成するものである。具体的には、左眼用映像信号Ｄ１Ｌおよび右眼用映像信号Ｄ１Ｒの信号レベルをそれぞれ、拡散処理後の発光パターン信号ＢＬ２で除算することにより、左眼用映像信号Ｄ４Ｌおよび右眼用映像信号Ｄ４Ｒを生成している。詳細には、ＬＣＤレベル算出部４２５は以下の（１），（２）式を用いて、左眼用映像信号Ｄ４Ｌおよび右眼用映像信号Ｄ４Ｒをそれぞれ生成するようになっている。
Ｄ４Ｌ＝（Ｄ１Ｌ／ＢＬ２）  ……（１）
Ｄ４Ｒ＝（Ｄ１Ｒ／ＢＬ２）  ……（２）
【００４３】
ここで、上記（１），（２）式により、原信号（映像信号Ｄ１）＝（発光パターン信号ＢＬ２×部分駆動用映像信号Ｄ４）という関係が得られる。このうち、（発光パターン信号ＢＬ２×部分駆動用映像信号Ｄ４）の物理的意味は、ある発光パターンで点灯されたバックライト３における各部分発光領域３６の画像イメージに、部分駆動用映像信号の画像イメージを重ね合わせるというものである。これにより、液晶表示パネル２における透過光の明暗分布を相殺し、本来の表示（原信号による表示）を目視することと等価となる。
【００４４】
［映像表示システムの作用・効果］
続いて、本実施の形態の映像表示システムの作用および効果について説明する。
【００４５】
（１．立体映像表示動作・部分発光動作の概要）
この映像表示システムでは、図１に示したように液晶表示装置１において、映像信号処理部４１が入力映像信号Ｄinに対し、右眼用映像信号ＤＲおよび左眼用映像信号ＤＬの出力順序（書き込み順序，表示順序）の制御を行う。これにより、１フレーム期間内において左眼用映像信号Ｄ１Ｌと右眼用映像信号Ｄ１Ｒとが交互に配列してなる映像信号Ｄ１が生成される。次に、シャッター制御部４４は、このような右眼用映像信号Ｄ１Ｒおよび左眼用映像信号Ｄ１Ｌの出力タイミングに対応する制御信号ＣＴＬを、シャッター眼鏡６に出力する。
【００４６】
また、映像信号処理部４１から出力される映像信号Ｄ１は、部分駆動化処理部４２へ供給される。部分駆動化処理部４２は、この映像信号Ｄ１に対して所定の部分駆動化処理を行う。これにより、バックライト３における部分発光領域３６単位での発光パターンを示す発光パターン信号ＢＬ１と、１フレーム期間内において左眼用映像信号Ｄ４Ｌと右眼用映像信号Ｄ４Ｒとが交互に配列してなる部分駆動用映像信号Ｄ４とが、それぞれ生成される。
【００４７】
次いで、このようにして生成された部分駆動用映像信号Ｄ４および発光パターン信号ＢＬ１はそれぞれ、タイミング制御部４３へ入力される。このうち、部分駆動用映像信号Ｄ４は、タイミング制御部４３からデータドライバ５１へ供給される。データドライバ５１は、この部分駆動用映像信号Ｄ４に対してＤ／Ａ変換を施し、アナログ信号である映像電圧を生成する。そして、ゲートドライバ５２およびデータドライバ５１から出力される各画素２０への駆動電圧によって表示駆動動作がなされる。これにより、部分駆動用映像信号Ｄ４に基づく表示駆動が液晶表示パネル２に対してなされる。
【００４８】
具体的には、図２に示したように、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、データドライバ５１から供給される部分駆動用映像信号Ｄ４に基づく映像電圧が液晶素子２２へと供給され、線順次の表示駆動動作がなされる。
【００４９】
一方、発光パターン信号ＢＬ１は、タイミング制御部４３からバックライト駆動部５０へ供給される。バックライト駆動部５０は、この発光パターン信号ＢＬ１に基づいて、バックライト３に対する発光駆動（部分駆動動作）を行う。
【００５０】
このようにして、映像電圧が供給された画素２０では、バックライト３からの照明光が液晶表示パネル２において変調され、表示光として出射される。これにより、入力映像信号Ｄinに基づく映像表示が、液晶表示装置１において行われる。
【００５１】
具体的には、例えば図５に示したように、バックライト３の各部分発光領域３６による発光面イメージ７１と、表示パネル２単独によるパネル面イメージ７２とが物理的に重ね合わせられた（掛け算的に合成された）合成イメージ７３が、液晶表示装置１全体として最終的に観察される映像となる。
【００５２】
また、このとき、本実施の形態では、１フレーム期間内において、左眼用映像信号ＤＬに基づく左眼用映像と、右眼用映像信号ＤＲに基づく右眼用映像とが交互に表示され、時分割駆動による表示駆動動作がなされる。
【００５３】
この際、図６（Ａ）に示したように、左眼用映像Ｌを表示しているときには、制御信号ＣＴＬにより、観察者８が用いるシャッター眼鏡６において、右眼用レンズ６Ｒにおける遮光機能が有効状態となると共に、左眼用レンズ６Ｌにおける遮光機能が無効状態となる。すなわち、左眼用レンズ６Ｌでは、左眼用映像Ｌの表示による表示光ＬＬの透過に対して開（オープン）状態となり、右眼用レンズ６Ｒでは、この表示光ＬＬの透過に対して閉（クローズ）状態となる。
【００５４】
一方、図６（Ｂ）に示したように、右眼用映像Ｒを表示しているときには、制御信号ＣＴＬにより、左眼用レンズ６Ｌにおける遮光機能が有効状態となると共に、右眼用レンズ６Ｒにおける遮光機能が無効状態となる。すなわち、右眼用レンズ６Ｒでは、右眼用映像表示による表示光ＬＲの透過に対して開状態となり、左眼用レンズ６Ｌでは、この表示光ＬＲの透過に対して閉状態となる。
【００５５】
そして、このような図６（Ａ）および図６（Ｂ）に示した状態が時分割で交互に繰り返されるため、液晶表示装置１の表示画面を観察者８がシャッター眼鏡６をかけて観察することにより、立体映像の観察が可能となる。すなわち、観察者８は、左眼用映像を左眼８Ｌ、右眼用映像を右眼８Ｒで見ることができ、また、これらの左眼用映像と右眼用映像との間には視差があるため、観察者７には奥行きのある立体的な映像として認識される。
【００５６】
（２．立体映像表示に適合した部分発光動作）
次に、図７〜図１１を参照して、本発明の特徴的部分の１つである、立体映像表示に適合したバックライト３の部分発光動作について、比較例と比較しつつ詳細に説明する。
【００５７】
（２−１．比較例）
図７は、比較例に係る液晶表示装置における部分駆動化処理部（部分駆動化処理部１０４）のブロック構成を表したものである。この比較例の部分駆動化処理部１０４は、図４に示した本実施の形態の部分駆動化処理部４２において、共通化映像生成部４２１を省いた（設けないようにした）構成となっている。すなわち、この比較例は、時分割駆動方式の立体映像表示システムにおいて、従来のバックライトにおける部分発光動作をそのまま適用した場合に相当している。
【００５８】
したがって、この部分駆動化処理部１０４では、まず、低解像度化処理部４２２において、映像信号Ｄ１（Ｄ１Ｌ，Ｄ１Ｒ）に対して低解像度化処理を行い、映像信号Ｄ１０３を生成する。次いで、ＢＬレベル算出部４２３がこの映像信号Ｄ１０３に基づいて、部分発光領域３６単位での発光パターンを示す発光パターン信号ＢＬ１０１を生成する。また、拡散部４２４では、ＢＬレベル算出部４２３から出力される発光パターン信号ＢＬ１０１に対して拡散処理を行い、拡散処理後の発光パターン信号ＢＬ１０２をＬＣＤレベル算出部４２５へ出力する。そして、ＬＣＤレベル算出部４２５は、映像信号Ｄ１（Ｄ１Ｌ，Ｄ１Ｒ）と拡散処理後の発光パターン信号ＢＬ１０２とに基づいて、１フレーム期間内において左眼用映像信号Ｄ１０４Ｌと右眼用映像信号Ｄ１０４Ｒとが交互に配列してなる部分駆動用映像信号Ｄ１０４を生成する。具体的には、ＬＣＤレベル算出部４２５は、本実施の形態と同様にして以下の（３），（４）式を用いることにより、左眼用映像信号Ｄ１０４Ｌおよび右眼用映像信号Ｄ１０４Ｒをそれぞれ生成する。
Ｄ１０４Ｌ＝（Ｄ１Ｌ／ＢＬ１０２）  ……（３）
Ｄ１０４Ｒ＝（Ｄ１Ｒ／ＢＬ１０２）  ……（４）
【００５９】
ここで、この部分駆動化処理部１０４へ入力される映像信号Ｄ１において、時間軸に沿って交互に配列された左眼用映像信号Ｄ１Ｌおよび右眼用映像信号Ｄ１Ｒ）がそれぞれ、例えば図８（Ａ），（Ｂ）に示したような映像を示すものである場合について考える。すなわち、全体的に暗い（グレーレベルの）背景内に、小さな明るい物体が存在している静止映像について考える。この場合、左眼用映像信号Ｄ１Ｌと右眼用映像信号Ｄ１Ｒとの間では、互いに視差を有するため、映像内の小さな明るい物体の位置にずれが生じることになる。
【００６０】
図９は、この場合における、比較例の液晶表示装置における部分発光動作をタイミング図で模式的に表したものである。この図９において、（Ａ）は映像信号Ｄ１を、（Ｂ）は発光パターン信号ＢＬ１０１を、（Ｃ）は発光パターン信号ＢＬ１０２を、（Ｄ）は部分駆動用映像信号Ｄ１０４を、それぞれ左眼用および右眼用の信号について示している。なお、（Ｂ）〜（Ｄ）において、横軸は、（Ａ）中のＩＩ−ＩＩ線またはＩＩＩ−ＩＩＩ線に沿った水平方向の画素位置を示している。また、（Ａ）において、縦軸は画面の縦方向（垂直方向）の画素位置を示し、（Ｂ）〜（Ｄ）において、縦軸はレベル軸を示している。
【００６１】
この比較例では、図９（Ａ）に示した左眼用映像信号Ｄ１Ｌおよび右眼用映像信号Ｄ１Ｒの各々について、発光パターン信号（発光パターン信号ＢＬ１０１Ｌ，ＢＬ１０１Ｒ）が生成される（図９（Ｂ）参照）。また、この左右の発光パターン信号ＢＬ１０１Ｌ，ＢＬ１０１Ｒに基づいて、拡散処理後の左右の発光パターン信号ＢＬ１０２Ｌ，ＢＬ１０２Ｒがそれぞれ生成されると共に、左右の部分駆動用映像信号Ｄ１０４Ｌ，Ｄ１０４Ｒがそれぞれ生成される（図９（Ｃ），（Ｄ）参照）。そして、これらの左右の発光パターン信号ＢＬ１０１Ｌ，ＢＬ１０１Ｒおよび左右の部分駆動用映像信号Ｄ１０４Ｌ，Ｄ１０４Ｒに基づいて、部分発光動作および表示動作がなされる。
【００６２】
ところがこの際、上記したように左右の映像間では映像内の物体位置にずれが生じていることから、バックライト３における実際の発光パターンにおいても、左眼用の映像表示時と右眼用の映像表示時とでずれが生じる（図９（Ｃ）中の符号Ｐ１０１参照）。具体的には、左右の映像表示時の間で発光強度が異なることになる部分発光領域３６が存在することになり、極端な場合、一方の映像表示時には点灯するのに対して他方の映像表示時には消灯する、ということもあり得る。
【００６３】
このようにして、左右の映像間で部分発光領域３６における発光輝度の変動（時間的な変動）が生じると、視差がなく一定の発光輝度であるべき領域にも大きな影響を与え、液晶表示パネル２における透過率制御では対応しきれないことになる。その結果、この比較例のように、時分割駆動方式の立体映像表示システムにおいて従来のバックライトの部分発光動作をそのまま適用した場合、フリッカーの発生が増大し、表示画質低下を招くことになる。
【００６４】
また、このような左右の映像間での発光輝度の時間変動を抑えるため、例えば時間軸方向のフィルタを設けることも考えられるが、その場合、以下の問題が生じる。すなわち、フィルタを用いて発光輝度の平準化を図ると、左右の映像表示時の双方においてそれらの中間の発光輝度レベルに設定されるため、元々のレベルと比べて発光輝度が低下し（映像が暗くなったり、白側階調のつぶれが生じ）、表示輝度の確保が困難になってしまう。
【００６５】
（２−２．実施の形態）
これに対し、本実施の形態では、部分駆動化処理部４２内の共通化映像生成部４２１において、左眼用映像信号Ｄ１Ｌと右眼用映像信号Ｄ１Ｒとが交互に配列してなる映像信号Ｄ１に基づいて、左眼用映像および右眼用映像に共通の映像である共通化映像を生成する。具体的には、例えば図１０（Ａ），（Ｂ）に示したように、左眼用映像信号Ｄ１Ｌおよび右眼用映像信号Ｄ１Ｒの間での最大輝度レベルを画素２０ごとに求めることにより、そのような共通化映像を構成する映像信号Ｄ２を生成する。これにより、生成された映像信号Ｄ２では、互いに同一の映像信号である左眼用映像信号Ｄ２Ｌと右眼用映像信号Ｄ２Ｒとが１フレーム期間内で交互に配列したものとなる。以下、このような共通化映像（映像信号Ｄ２）を用いた本実施の形態の部分発光動作について、詳細に説明する。
【００６６】
図１１は、図８に示した映像信号Ｄ１（Ｄ１Ｌ，Ｄ１Ｒ）を入力した場合における、本実施の形態の液晶表示装置１における部分発光動作をタイミング図で模式的に表したものである。この図１１において、（Ａ）は映像信号Ｄ１を、（Ｂ）は映像信号Ｄ２を、（Ｃ）は発光パターン信号ＢＬ１を、（Ｄ）は発光パターン信号ＢＬ２を、（Ｅ）は部分駆動用映像信号Ｄ４を、それぞれ左眼用および右眼用の信号について示している。なお、（Ｃ）〜（Ｅ）において、横軸は、（Ａ），（Ｂ）中のＩＩ−ＩＩ線またはＩＩＩ−ＩＩＩ線に沿った水平方向の画素位置を示している。また、（Ａ），（Ｂ）において、縦軸は画面の縦方向（垂直方向）の画素位置を示し、（Ｃ）〜（Ｅ）において、縦軸はレベル軸を示している。
【００６７】
図１１（Ａ），（Ｂ）に示したように、本実施の形態では、まず上記したように、共通化映像生成部４２１において、左眼用映像信号Ｄ１Ｌおよび右眼用映像信号Ｄ１Ｒに基づいて、共通化映像を構成する映像信号Ｄ２（Ｄ２Ｌ，Ｄ２Ｒ）を生成する。そして、ＢＬレベル算出部４２３において、この左右に共通の映像信号Ｄ２に基づく映像信号Ｄ３を用いて、左右に共通の発光パターン信号ＢＬ１を生成する（図１１（Ｃ）参照）。
【００６８】
また、この左右に共通の発光パターン信号ＢＬ１を用いて、拡散部４２４が、左右に共通の拡散処理後の発光パターン信号ＢＬ２を生成すると共に、ＬＣＤレベル算出部４２５が、左右の部分駆動用映像信号Ｄ４Ｌ，Ｄ４Ｒをそれぞれ生成する（図１１（Ｄ），（Ｅ）参照）。そして、これらの発光パターン信号ＢＬ１および部分駆動用映像信号Ｄ４（Ｄ４Ｌ，Ｄ４Ｒ）に基づいて、部分発光動作および表示動作がなされる。
【００６９】
これにより本実施の形態では、互いに異なる左右の映像について個別に生成された発光パターン信号ＢＬ１０１Ｌ，ＢＬ１０１Ｒを用いて部分発光動作および表示動作がなされる上記比較例とは異なり、左右の映像間での発光輝度（表示輝度）の変動（時間的な変動）が回避される（図１１（Ｃ），（Ｄ）参照）。その結果、本実施の形態では比較例と比べ、フリッカーの発生が抑えられる。
【００７０】
また、左右の映像間での最大輝度レベルを画素２０ごとに求めることによって共通化映像が生成されるため、例えば時間軸方向に沿って発光パターン信号および部分駆動用映像信号を平準化するためのフィルタを用いた場合とは異なり、表示輝度の低下が生じることもない。
【００７１】
なお、このとき、図１１（Ｃ）中の符号Ｐ１Ｌ，Ｐ１Ｒで示したように、本来の（元の）映像信号Ｄ１Ｌ，Ｄ１Ｒにおいては暗い画素領域においても、明るい部分に対応する発光パターンが設けられることになる。しかしながら、図１１（Ｅ）中の符号Ｐ２Ｌ，Ｐ２Ｒで示したように、その画素領域では液晶表示パネル２において透過率を下げることにより、実際の表示輝度は正しい値となっている。
【００７２】
以上のように本実施の形態では、入力映像信号Ｄinに基づいて左右の映像間での最大輝度レベルを画素２０ごとに求めることによって、左右の映像に共通の映像である共通化映像（映像信号Ｄ２）を生成すると共に、この共通化映像を用いて発光パターン信号ＢＬ１および部分駆動用映像信号Ｄ４をそれぞれ生成するようにしたので、表示輝度の低下を生じさせることなく（表示輝度を維持しつつ）、左右の映像間での表示輝度の時間的変動を回避してフリッカーの発生を抑えることができる。よって、部分発光動作を行う光源を用いて複数の映像を時分割表示する際に、表示画質を向上させることが可能となる。また、部分発光動作を行うことにより、従来の部分発光動作の際と同様に、低消費電力化および黒輝度の改善を図ることも可能となる。
【００７３】
＜変形例＞
続いて、上記実施の形態の変形例（変形例１，２）について説明する。なお、実施の形態と同一の構成要素については同一符号を付してその説明を適宜省略する。
【００７４】
（変形例１）
図１２は、変形例１に係る映像表示システム（液晶表示装置）における部分駆動化処理部（部分駆動化処理部４２Ａ）のブロック構成を表したものである。本変形例の部分駆動化処理部４２Ａは、図４に示した実施の形態の部分駆動化処理部４２において、共通化映像生成部４２１と低解像度化処理部４２２との配置順序を逆にしたものに対応している。
【００７５】
すなわち、この部分駆動化処理部４２Ａでは、まず、低解像度化処理部４２２において映像信号Ｄ１（Ｄ２Ｌ，Ｄ２Ｒ）に対し、上記実施の形態で説明した所定の低解像度化処理を行う。次いで、共通化映像生成部４２１は、低解像度化処理後の映像信号に基づいて、上記実施の形態と同様にして、左眼用映像および右眼用映像に共通の映像である共通化映像を生成する。ただし、本変形例では、左眼用映像信号および右眼用映像信号の間での最大輝度レベルを、低解像度化後の単位領域ごと（具体的には、部分発光領域３６ごと）に求めることにより、そのような共通化映像を生成することになる。
【００７６】
このような構成の部分駆動化処理部４２Ａを用いた映像表示システム（液晶表示装置）においても、上記実施の形態と同様の効果を得ることができる。
【００７７】
（変形例２）
図１３は、変形例２に係る映像表示システム（マルチビューシステム）における映像表示動作の概要を模式的に表したものである。本変形例では、これまで説明した立体映像表示動作の代わりに、複数人の観察者（ここでは、２人の観察者）に対し、互いに異なる複数（ここでは、２つ）の映像を個別に観察することを可能とするマルチ映像表示動作を行うようになっている。なお、上記実施の形態と同様の構成要素については同一の符号を付し、適宜説明を省略する。
【００７８】
本変形例のマルチビューシステムでは、１人目の観察者に対応する第１の映像信号に基づく第１の映像と、２人目の観察者に対応する第２の映像信号に基づく第２の映像とが、時分割で交互に表示される。すなわち、これまでは、シャッター眼鏡６における左眼用レンズ６Ｌおよび右眼用レンズ６Ｒごとに、それぞれ対応する左眼用映像および右眼用映像が表示されていたのに対し、本変形例では、観察者（ユーザ）ごとにそれぞれ対応する複数の映像が表示される。
【００７９】
具体的には、図１３（Ａ）に示したように、第１の映像Ｖ１の表示期間においては、制御信号ＣＴＬ１により、観察者８１が用いるシャッター眼鏡６１において、右眼用レンズ６Ｒおよび左眼用レンズ６Ｌの双方が開状態となっている。また、制御信号ＣＴＬ２により、観察者８２が用いるシャッター眼鏡６２において、右眼用レンズ６Ｒおよび左眼用レンズ６Ｌの双方が閉状態となっている。すなわち、観察者８１のシャッター眼鏡６１では、第１の映像Ｖ１に基づく表示光ＬＶ１を透過させ、観察者８２のシャッター眼鏡６２では、この表示光ＬＶ１を遮断させる。
【００８０】
一方、図１３（Ｂ）に示したように、第２の映像Ｖ２の表示期間においては、制御信号ＣＴＬ２により、観察者８２が用いるシャッター眼鏡６２において、右眼用レンズ６Ｒおよび左眼用レンズ６Ｌの双方が開状態となっている。また、制御信号ＣＴＬ１により、観察者８１が用いるシャッター眼鏡６１において、右眼用レンズ６Ｒおよび左眼用レンズ６Ｌの双方が閉状態となっている。すなわち、観察者８２のシャッター眼鏡６２では、第２の映像Ｖ２に基づく表示光ＬＶ２を透過させ、観察者８１のシャッター眼鏡６１では、この表示光ＬＶ２を遮断させる。
【００８１】
そして、このような図１３（Ａ）および図１３（Ｂ）に示した状態が時分割で交互に繰り返されることにより、２人の観察者８１，８２は、互いに異なる映像（映像Ｖ１，Ｖ２）を個別に観察することが可能となる（マルチビューモードが実現される）。
【００８２】
本変形例のようなマルチ映像表示動作を行う場合においても、上記実施の形態または上記変形例１において説明した部分発光動作（部分駆動動作）を行うことにより、上記実施の形態等と同様の効果を得ることができる。
【００８３】
なお、本変形例では、２人の観察者において互いに異なる２つの映像を個別に観察する場合について説明したが、３人以上の観察者において互いに異なる３つ以上の映像を個別に観察する場合にも、本発明を適用することが可能である。また、映像の数とシャッター眼鏡の数は必ずしも同数となっていなくともよい。すなわち、ある１つの映像に対応して開閉動作を行うシャッター眼鏡を複数個用意し、１つの映像を複数人の観察者で観察するようにしてもよい。
【００８４】
（その他の変形例）
以上、実施の形態および変形例を挙げて本発明を説明したが、本発明はこれらの実施の形態等に限定されず、種々の変形が可能である。
【００８５】
例えば、上記実施の形態等では、バックライトが、光源として赤色ＬＥＤ、緑色ＬＥＤおよび青色ＬＥＤを含んで構成されている場合について説明したが、これらに加えて（またはこれらに代えて）、他の色光を発する光源を含んで構成するようにしてもよい。例えば、４色以上の色光によって構成した場合、色再現範囲を拡大し、より多彩な色を表現することが可能となる。
【００８６】
また、例えば、シャッター眼鏡は、モードの切り替えにより、上記実施の形態等で説明した立体映像表示システムおよびマルチビューシステムの双方に対応できるようにしてもよい。
【００８７】
更に、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【符号の説明】
【００８８】
１…液晶表示装置、２…液晶表示パネル、２０…画素、２１…ＴＦＴ素子、２２…液晶素子、２３…補助容量素子、２６…部分照射領域、３…バックライト、３Ｒ…赤色ＬＥＤ、３Ｇ…緑色ＬＥＤ、３Ｂ…青色ＬＥＤ、３６…部分発光領域、４１…映像信号処理部、４２，４２Ａ…部分駆動化処理部、４２１…共通化映像生成部、４２２…低解像度化処理部、４２３…ＢＬレベル算出部、４２４…拡散部、４２５…ＬＣＤレベル算出部、４３…タイミング制御部、４４…シャッター制御部、５０…バックライト駆動部、５１…データドライバ、５２…ゲートドライバ、６，６１，６２…シャッター眼鏡、６Ｌ…左眼用レンズ、６Ｒ…右眼用レンズ、７１…発光面イメージ、７２…パネル面イメージ、７３…合成イメージ、８，８１，８２…観察者（ユーザ）、８Ｌ…左眼、８Ｒ…右眼、Ｄin…入力映像信号、Ｄ１〜Ｄ３…映像信号、Ｄ４…部分駆動用映像信号、ＤＬ，Ｄ１Ｌ，Ｄ２Ｌ…左眼用映像信号、ＤＲ，Ｄ１Ｒ，Ｄ２Ｒ…右眼用映像信号、ＢＬ１，ＢＬ２…発光パターン信号、ＣＴＬ，ＣＴＬ１，ＣＴＬ２…制御信号、Ｄ…データ線、Ｇ…ゲート線、Ｃｓ…補助容量線、Ｌ…左眼用映像、Ｒ…右眼用映像、Ｖ１，Ｖ２…映像、ＬＬ，ＬＲ，ＬＶ１，ＬＶ２…表示光。
【図１】
2011186224.tif 000003
【図２】
2011186224.tif 000004
【図３】
2011186224.tif 000005
【図４】
2011186224.tif 000006
【図５】
2011186224.tif 000007
【図６】
2011186224.tif 000008
【図７】
2011186224.tif 000009
【図８】
2011186224.tif 000010
【図９】
2011186224.tif 000011
【図１０】
2011186224.tif 000012
【図１１】
2011186224.tif 000013
【図１２】
2011186224.tif 000014
【図１３】
2011186224.tif 000015